(57)【要約】      （修正有）【課題】野球競技等の球類を使用する運動競技において多く生じるイレギュラー・バウンドの練習対策用として極めて好適であり、かつ、簡略構造からなるイレギュラー・バウンド対策用の練習具を提供する。【解決手段】練習具１は、地面又は床面上に設置される設置片１２と、設置片の一端から起立した起立片１３をＬ形状に固着し、これら設置片、起立片を一対構成で間隔を隔て平行配置して枠組された練習具本体１１と、練習具本体の両起立片に対して一端側を傾斜角度調整可能に取り付けるとともに他端側を地面又は床面上に臨ませる矩形状の球類転動・飛行ガイド体２１と、球類転動・飛行ガイド体の任意の位置に球類の転動・飛行方向に位置調整可能に取り付けられ衝突する球類にイレギュラー・バウンドを発生させるイレギュラー・バウンド発生体３１とを有する。【選択図】図１
0003216308.tif 000002
【実用新案登録請求の範囲】
【請求項１】
地面又は床面上に設置される練習具本体と、
前記練習具本体に対して一端側を角度調整可能に取り付けるとともに他端側を地面又は床面上に臨ませる矩形状の球類転動・飛行ガイド体と、
前記球類転動・飛行ガイド体の任意の位置に位置調整可能に取り付けられ衝突する球類にイレギュラー・バウンドを発生させるイレギュラー・バウンド発生体と、
を有することを特徴とする球類を使用する運動競技におけるイレギュラー・バウンド対策用の練習具。
【請求項２】
地面又は床面上に設置される設置片、起立片が枠組された練習具本体と、
前記練習具本体に対して一端側を傾斜角度調整可能に取り付けるとともに他端側を地面又は床面上に臨ませる矩形状の球類転動・飛行ガイド体と、
前記球類転動・飛行ガイド体の任意の位置に球類の転動・飛行方向に位置調整可能に取り付けられ衝突する球類にイレギュラー・バウンドを発生させるイレギュラー・バウンド発生体と、
を有することを特徴とする球類を使用する運動競技におけるイレギュラー・バウンド対策用の練習具。
【請求項３】
地面又は床面上に設置される設置片と、この設置片の一端から起立した起立片をＬ形状に固着して、これら設置片、起立片を一対構成で間隔を隔て平行配置して枠組された練習具本体と、
前記練習具本体の両起立片に対して一端側を傾斜角度調整可能に取り付けるとともに他端側を地面又は床面上に臨ませる矩形状の球類転動・飛行ガイド体と、
前記球類転動・飛行ガイド体の任意の位置に球類の転動・飛行方向に位置調整可能に取り付けられ衝突する球類にイレギュラー・バウンドを発生させるイレギュラー・バウンド発生体と、
を有することを特徴とする球類を使用する運動競技におけるイレギュラー・バウンド対策用の練習具。
【請求項４】
前記練習具本体の地面又は床面に接する設置片の底部には、この練習具本体の滑りを防止する滑り止め材を配置していることを特徴とする請求項１乃至３のいずれか１項に記載の球類を使用する運動競技におけるイレギュラー・バウンド対策用の練習具。
【請求項５】
前記球類転動・飛行ガイド体は、矩形状の球類転動・飛行ガイド体枠と、この球類転動・飛行ガイド体枠により保持された人工芝、ラバー材、スポンジ材、又は、土層を均一に貼着したシート材のいずれから選定される球類転動・飛行ガイド体層とを具備することを特徴とする請求項１乃至４のいずれか１項に記載の球類を使用する運動競技におけるイレギュラー・バウンド対策用の練習具。
【請求項６】
前記球類転動・飛行ガイド体の傾斜角度調整は、練習具本体における起立片に設けた間隔を有する複数の孔又は長孔に対する前記球類転動・飛行ガイド体の一端側の係合・締結位置の変更により行われることを特徴とする請求項１乃至５のいずれか１項に記載の球類を使用する運動競技におけるイレギュラー・バウンド対策用の練習具。
【請求項７】
前記イレギュラー・バウンド発生体は、木材、金属材、ゴム材、又は、合成樹脂材のいずれかから選定される略直方体塊状に形成され、球類の転動・飛行方向と直交方向配置で上面中央部を上方に膨出させた山形状、上面凹凸状、上面波形状のいずれかの形状を有するものから選定されるものであることを特徴とする請求項１乃至６のいずれか１項に記載の球類を使用する運動競技におけるイレギュラー・バウンド対策用の練習具。
【請求項８】
前記イレギュラー・バウンド発生体の位置調整は、球類転動・飛行ガイド体枠に設けた間隔を有する複数の孔又は長孔に対するイレギュラー・バウンド発生体と一体の端部にネジ部を有する支持軸の係合・締結位置の変更により行われることを特徴とする請求項１乃至７のいずれか１項に記載の球類を使用する運動競技におけるイレギュラー・バウンド対策用の練習具。
【請求項９】
前記イレギュラー・バウンドが発生する球類を使用する競技種類は、硬式野球、軟式野球、ソフトボール、テニス、ホッケー、又は、サッカーのいずれかであることを特徴とする請求項１乃至８のいずれか１項に記載の球類を使用する運動競技におけるイレギュラー・バウンド対策用の練習具。
【考案の詳細な説明】
【技術分野】
【０００１】
本考案は、球類を使用する運動競技におけるイレギュラー・バウンド対策用の練習具に関し、詳しくは、野球競技等のような球類を使用する運動競技において多く生じるイレギュラー・バウンドの練習対策用として好適で、かつ、簡略構造からなる練習具に関するものである。
【背景技術】
【０００２】
例えば、硬式野球、軟式野球競技等のような球類を使用する運動競技においては、特に屋外のグランドで競技を行う場合グランドの地面の不均一性（凹凸、傾斜等）のためイレギュラー・バウンドが多々生じることから、イレギュラー・バウンドに対する練習対策が必要となる。
【０００３】
一方、市街地の状況を概観すると公園等ではキャツチボール等が禁止されている箇所も多く、日常的にイレギュラー・バウンドに対する練習を行うことは困難である。
【０００４】
この種の練習具の従来例として、例えば特許文献１には、投球した球を跳ね返すことのできる板と角度が変更できる可動機構により板の背面にある支柱に固定された一式の反射板体を用いた投球捕球練習用具が開示されている。
【０００５】
しかし、特許文献１の投球捕球練習用具の場合、練習者は一人で投球捕球の練習を行えるものの前記反射板体は単に練習者の投球を規則的に跳ね返すだけであり、イレギュラー・バウンドを発生させるような構成は包含されていない。
【先行技術文献】
【特許文献】
【０００６】
【特許文献１】特開２０１３−２５５号公報
【考案の概要】
【考案が解決しようとする課題】
【０００７】
本考案は、上記事情に鑑みて、例えば野球競技等のような球類を使用する運動競技において多く生じるイレギュラー・バウンドの練習対策用として極めて好適であり、かつ、簡略構造からなる球類を使用する広範な運動競技におけるイレギュラー・バウンド対策として好適な練習具を提供するものである。
【課題を解決するための手段】
【０００８】
本考案の球類を使用する広範な運動競技におけるイレギュラー・バウンド対策用の練習具は、地面又は床面上に設置される練習具本体と、前記練習具本体に対して一端側を角度調整可能に取り付けるとともに他端側を地面又は床面上に臨ませる矩形状の球類転動・飛行ガイド体と、前記球類転動・飛行ガイド体の任意の位置に位置調整可能に取り付けられ衝突する球類にイレギュラー・バウンドを発生させるイレギュラー・バウンド発生体とを有することを最も主要な特徴とする。
【考案の効果】
【０００９】
請求項１記載の考案によれば、各種球類を使用する運動競技において多く生じるイレギュラー・バウンドの練習対策用として極めて好適であり、かつ、簡略構造からなる球類を使用する運動競技におけるイレギュラー・バウンド対策用の練習具を実現し提供することができる。
【００１０】
請求項２記載の考案によれば、地面又は床面上に設置される設置片、起立片が枠組された練習具本体と、前記練習具本体に対して一端側を傾斜角度調整可能に取り付けるとともに他端側を地面又は床面上に臨ませる矩形状の球類転動・飛行ガイド体と、前記球類転動・飛行ガイド体の任意の位置に球類の転動・飛行方向に位置調整可能に取り付けられ衝突する球類にイレギュラー・バウンドを発生させるイレギュラー・バウンド発生体と、を有する構成の基に、各種球類を使用する運動競技において球類転動・飛行ガイド体の傾斜角度調整やイレギュラー・バウンド発生体の位置調整によってバウンド態様を種々に異ならせつつ多様な態様のイレギュラー・バウンドの練習対策用として極めて好適であり、かつ、簡略構造からなる球類を使用する運動競技におけるイレギュラー・バウンド対策用の練習具を実現し提供することができる。
【００１１】
請求項３記載の考案によれば、地面又は床面上に設置される設置片と、この設置片の一端から起立した起立片をＬ形状に固着して、これら設置片、起立片を一対構成で間隔を隔て平行配置して枠組された練習具本体と、前記練習具本体の両起立片に対して一端側を傾斜角度調整可能に取り付けるとともに他端側を地面又は床面上に臨ませる矩形状の球類転動・飛行ガイド体と、前記球類転動・飛行ガイド体の任意の位置に球類の転動・飛行方向に位置調整可能に取り付けられ衝突する球類にイレギュラー・バウンドを発生させるイレギュラー・バウンド発生体と、有する構成の基に、請求項２記載の考案の場合と同様、各種球類を使用する運動競技において球類転動・飛行ガイド体の傾斜角度調整やイレギュラー・バウンド発生体の位置調整によってバウンド態様を種々に異ならせつつ多様な態様のイレギュラー・バウンドの練習対策用として極めて好適であり、かつ、簡略構造からなる球類を使用する運動競技におけるイレギュラー・バウンド対策用の練習具を実現し提供することができる。
【００１２】
請求項４記載の考案によれば、請求項１乃至３のいずれかに記載の考案において、前記練習具本体の地面又は床面に接する設置片の底部には、この練習具本体の滑りを防止する滑り止め材を配置しているので、練習具本体の滑り防止、設置安定性を図ることができる球類を使用する運動競技におけるイレギュラー・バウンド対策用の練習具を実現し提供することができる。
【００１３】
請求項５記載の考案によれば、請求項１乃至４のいずれかに記載の考案において、前記球類転動・飛行ガイド体は、矩形状の球類転動・飛行ガイド体枠と、この球類転動・飛行ガイド体枠により保持された人工芝、ラバー材、スポンジ材、又は、土層を均一に貼着したシート材のいずれから選定される球類転動・飛行ガイド体層とを具備する構成としているので、簡略構造で練習補助者による球類の投球やゴロ球の送球がし易い球類を使用する運動競技におけるイレギュラー・バウンド対策用の練習具を実現し提供することができる。
【００１４】
請求項６記載の考案によれば、請求項１乃至５のいずれかに記載の考案において、前記球類転動・飛行ガイド体の傾斜角度調整は、練習具本体における起立片に設けた間隔を有する複数の孔又は長孔に対する前記球類転動・飛行ガイド体の一端側の係合・締結位置の変更により行われるように構成しているので、前記球類転動・飛行ガイド体の傾斜角度調整によるイレギュラー・バウンド発生の多様化を図ることができる球類を使用する運動競技におけるイレギュラー・バウンド対策用の練習具を実現し提供することができる。
【００１５】
請求項７記載の考案によれば、請求項１乃至６のいずれかに記載の考案において、前記イレギュラー・バウンド発生体は、木材、金属材、ゴム材、又は、合成樹脂材のいずれかから選定される略直方体塊状に形成され、球類の転動・飛行方向と直交方向配置で上面中央部を上方に膨出させた山形状、上面凹凸状、上面波形状のいずれかの形状を有するものから選定される構成としているので、イレギュラー・バウンド発生体の構造の簡略化が図れ、かつ、イレギュラー・バウンド発生の多様化を図ることができる球類を使用する運動競技におけるイレギュラー・バウンド対策用の練習具を実現し提供することができる。
【００１６】
請求項８記載の考案によれば、請求項１乃至７のいずれかに記載の考案において、前記イレギュラー・バウンド発生体の位置調整は、球類転動・飛行ガイド体枠に設けた間隔を有する複数の孔又は長孔に対するイレギュラー・バウンド発生体と一体の端部にネジ部を有する支持軸の係合・締結位置の変更により行われるように構成しているので、イレギュラー・バウンド発生体の位置調整によるイレギュラー・バウンド発生の多様化を図ることができる球類を使用する運動競技におけるイレギュラー・バウンド対策用の練習具を実現し提供することができる。
【００１７】
請求項９記載の考案によれば、前記イレギュラー・バウンドが発生する球類を使用する競技種類は、硬式野球、軟式野球、ソフトボール、テニス、ホッケー、又は、サッカーのいずれかとしているので、これら各競技の練習者各々のイレギュラー・バウンド対策用として好適に使用できる球類を使用する運動競技におけるイレギュラー・バウンド対策用の練習具を実現し提供することができる。
【図面の簡単な説明】
【００１８】
【図１】図１は本考案の実施例に係る球類を使用する運動競技におけるイレギュラー・バウンド対策用の練習具（以下「練習具」ともいう）の練習補助者側から見た概略斜視図である。
【図２】図２は本実施例に係る練習具の練習者側から見た概略斜視図である。
【図３】図３は本実施に係る練習具の側方側から見た概略斜視図である。
【図４】図４は本実施例に係る練習具の底面側から見た概略斜視図である。
【図５】図５は本実施例に係る練習具における練習具本体、球類転動・飛行ガイド体を示す概略側面図である。
【図６】図６は本実施例に係る練習具における練習具本体、球類転動・飛行ガイド体、及び、イレギュラー・バウンド発生体の部分拡大斜視図である。
【図７】図７は本実施例に係る練習具におけるイレギュラー・バウンド発生体の球類転動・飛行ガイド体に対する取り付け構造を示す部分拡大斜視図である。
【図８】図８は本実施例に係る練習具におけるイレギュラー・バウンド対策練習の態様を示す説明図である。
【考案を実施するための形態】
【００１９】
本考案は、野球競技等のような球類を使用する運動競技において多く生じるイレギュラー・バウンドの練習対策用として極めて好適であり、かつ、簡略構造からなる球類を使用する広範な運動競技におけるイレギュラー・バウンド対策用の練習具を提供するという目的を、地面又は床面上に設置される設置片と、この設置片の一端から起立した起立片をＬ形状に固着して、これら設置片、起立片を一対構成で間隔を隔て平行配置して枠組された練習具本体と、前記練習具本体の両起立片に対して一端側を傾斜角度調整可能に取り付けるとともに他端側を地面又は床面上に臨ませる矩形状の球類転動・飛行ガイド体と、前記球類転動・飛行ガイド体の任意の位置に球類の転動・飛行方向に位置調整可能に取り付けられ衝突する球類にイレギュラー・バウンドを発生させるイレギュラー・バウンド発生体と、を有する構成により実現した。
【実施例】
【００２０】
以下、図面を参照して、本考案の実施例に係る球類を使用する運動競技におけるイレギュラー・バウンド対策用の練習具（以下「練習具」ともいう）について詳細に説明する。
【００２１】
本考案の実施例に係る練習具１は、図１乃至図７に示すように、練習具本体１１と、前記練習具本体１１の両起立片１３、１３に対して一端側を傾斜角度調整可能に取り付けるとともに他端側を地面又は床面上に臨ませる矩形状の球類転動・飛行ガイド体２１と、前記球類転動・飛行ガイド体の任意の位置に球類Ｂの転動・飛行方向に位置調整可能に取り付けられ衝突する球類にイレギュラー・バウンドを発生させるイレギュラー・バウンド発生体３１と、を有している。
【００２２】
ここに、球類Ｂとは、硬式野球球又は軟式野球球、ソフトボール球の他に、テニス球、フィールドホッケーの球、サッカーのボール等を意味するものである。
【００２３】
前記練習具本体１１は、地面又は床面上に設置される所定長さの長方形板状の設置片１２の一方の端部と、設置片１２の一方の端部から起立した中空四角柱状の起立片１３とをボルト・ナット又はネジからなる締結具１４を用いてＬ型状を呈するように連結し、起立片１３の上端部と設置片１２の中間部とを斜め連結片１５、締結具１４により連結して側枠体１６を形成し、側枠体１６を２個平行配置するとともに、所要数の横連結片１７、締結具１４を用いて両側枠体１６を所定間隔をもって平行配置を呈するように枠組みし、一体化することにより構成している。前記起立片１３には、球類転動・飛行ガイド体２１の傾斜角度調整のために長さ方向で所定の間隔を有する複数の孔１３ａを設けている。
【００２４】
なお、複数の孔１３ａに替えて図示していないが前記起立片１３の長さ方向に長穴を設ける構成とすることもできる。
【００２５】
また、前記両設置片１２、１２の地面、又は床面に接する底部には、図４に示すように、練習具本体１１の滑りを防止する例えばゴム板等からなる滑り止め材１８を添設し、前記練習具本体１１の滑り防止、設置安定性の維持を図っている。
【００２６】
前記球類転動・飛行ガイド体２１は、図１乃至図３に示すように、前記練習具本体１１の両起立片１３、１３に対して一端側を傾斜角度調整可能に取り付けるとともに他端側を地面又は床面上に臨ませる矩形状の構成としている。
【００２７】
すなわち、前記球類転動・飛行ガイド体２１は、矩形状に枠組みした球類転動・飛行ガイド体枠２２と、この球類転動・飛行ガイド体枠２２により保持された球類転動・飛行ガイド体層２５と、を具備している。
【００２８】
前記球類転動・飛行ガイド体枠２２は、球類Ｂの転動・飛行方向に沿って平行配置した一対のＬ形枠片２３、２３と、両Ｌ形枠片２３、２３の一端側、他端側の各隅部を各々連結する両端部連結片２４、２４’を全体として矩形状に枠組みし一体化することにより構成している。
【００２９】
前記球類転動・飛行ガイド体層２５は、前記両Ｌ形枠片２３、２３、両端部連結片２４、２４’により画される矩形領域に組み込まれ球類転動・飛行ガイド体枠２２により保持されるように構成している。
【００３０】
前記球類転動・飛行ガイド体層２５は、例えば人工芝、ラバー材、スポンジ材、又は土層を均一に貼着したシート材のいずれから選定される構成とし、球類転動・飛行ガイド体２１の簡略構造化と、練習補助者による球類の投球やゴロ球の送球のし易さを図っている。
【００３１】
そして、前記球類転動・飛行ガイド体２１の傾斜角度調整は、練習具本体１１における両起立片１３、１３に設けた間隔を有する複数の孔１３ａに対する前記球類転動・飛行ガイド体２１の一端側の係合・締結位置の変更により行われるように構成している。
【００３２】
すなわち、前記球類転動・飛行ガイド体２１におけるＬ形枠片２３、２３の一端側の両端部を前記両起立片１３、１３の対向する側壁に接合し、Ｌ形枠片２３、２３の端部内側から挿入ボルト２７をこのＬ形枠片２３、２３及び前記両起立片１３、１３の同一高さ位置の各孔１３ａ、１３ａを貫通して外方に突出させ、突出した各挿入ボルト２７のネジ部に各々蝶ナット２６を螺合し締め付けることで、前記球類転動・飛行ガイド体２１の一端側を前記練習具本体１１の前記両起立片１３、１３に例えば図３に示す配置で取り付け、必要に応じて随時前記球類転動・飛行ガイド体２１の前記練習具本体１１に対する傾斜角度を簡略容易に変更できるように構成し、傾斜角度調整によってイレギュラー・バウンド発生の多様化を図っている。
【００３３】
前記イレギュラー・バウンド発生体３１は、前記球類転動・飛行ガイド体２１上の任意の位置に球類Ｂの転動・飛行方向に位置調整可能に取り付けられ、このイレギュラー・バウンド発生体３１に対して練習補助者が図８において左方から投げた球類が衝突することで当該球類Ｂに不規則なイレギュラー・バウンドを発生させるように構成している。
【００３４】
すなわち、前記イレギュラー・バウンド発生体３１の位置調整は、前記球類転動・飛行ガイド体枠におけるＬ形枠片２３、２３の垂直片部２３ａ、２３ａに各々球類Ｂの転動・飛行方向に沿って同一配置に、かつ、間隔を有しつつ設けた複数の調整孔２３ｂ、２３ｂに対するイレギュラー・バウンド発生体３１と一体の端部にネジ部を有する支持軸３２の係合・締結位置の変更により行われるように構成している。
【００３５】
すなわち、複数の調整孔２３ｂ、２３ｂのうち、球類Ｂの転動・飛行方向と直交（又は交差）する方向で相対向する調整孔２３ｂ、２３ｂに対して、前記イレギュラー・バウンド発生体３１の両端部から各々外方に向けて突設した支持軸３２の各端部のネジ部側を挿通して外方に突出させ、突出したネジ部に対して各々蝶ナット３３を螺合し締め付けることで、前記イレギュラー・バウンド発生体３１を前記球類転動・飛行ガイド体２１上の所望の位置に配置し、かつ、必要に応じて随時前記イレギュラー・バウンド発生体３１の球類転動・飛行ガイド体２１上の位置を簡略容易に変更できるように構成し、イレギュラー・バウンド発生体３１の位置調整によって、イレギュラー・バウンド発生の多様化を図っている。
【００３６】
なお、複数の調整孔２３ｂ、２３ｂに替えて図示していないが前記Ｌ形枠片２３、２３の垂直片部２３ａ、２３ａに長穴を設ける構成とすることもできる。
【００３７】
前記イレギュラー・バウンド発生体３１は、木材、金属材、ゴム材、又は、合成樹脂材のいずれかから選定される略直方体塊状に形成されている。
【００３８】
また、前記イレギュラー・バウンド発生体３１の形状としては、球類Ｂの転動・飛行方向と直交方向配置で上面中央部を上方に膨出させた山形状、上面凹凸状、上面波形状のいずれかの形状を有するものから選定することができ、これにより、イレギュラー・バウンド発生体３１の構造の簡略化を図っている。
【００３９】
次に、本実施例の練習具１を使用した練習者、練習補助者による球類のイレギュラー・バウンド処理の練習態様について図８を参照して説明する。
【００４０】
本実施例の練習具１を使用して球類Ｂのイレギュラー・バウンド処理の練習を行う場合には、図８に示すように、練習者は前記練習具１における練習具本体１１の外側に構えて、また、練習補助者は前記練習具１における前記球類転動・飛行ガイド体層２５の外側に立つ。
【００４１】
そして、この状態で、練習補助者は球類Ｂを手に握り前記イレギュラー・バウンド発生体３１の所望の位置に向けて球類Ｂを投げる。
【００４２】
前記イレギュラー・バウンド発生体３１の上面に衝突した球類Ｂは、イレギュラー・バウンドし、練習具本体１１の外側に構える練習者側に飛行する。
【００４３】
練習者は、イレギュラー・バウンドした球類Ｂを手に持ったグローブを使用して捕球する。
【００４４】
このようにして、練習補助者が前記イレギュラー・バウンド発生体３１に対して球類Ｂの衝突位置を変更しつつ繰り返し投球し、飛行軌道の異なるイレギュラー・バウンドを次々と発生させ、練習者が体勢を変えながら飛行軌道の異なるイレギュラー・バウンドした球類Ｂを次々と捕球することで、当該練習者はイレギュラー・バウンドに対する迅速反応性や集中力の向上、敏捷性の向上等の練習を効果的に行うことができる。
【００４５】
また、本実施例によれば、電気設備、電気配線等を必要としない簡略構造からなる球類Ｂを使用する広範な運動競技におけるイレギュラー・バウンド対策用の練習具１を提供することができる。
【００４６】
上述した練習態様の他、練習補助者が球類Ｂを手に握り、前記球類転動・飛行ガイド体層２５上に球類Ｂがゴロとなって転動するよう投球して前記イレギュラー・バウンド発生体３１の上面にゴロの状態で衝突させ、前記イレギュラー・バウンド発生体３１によりイレギュラー・バウンドを発生させて練習者側に球類Ｂを飛行させるような態様でも、上述した場合と同様に、練習者はイレギュラー・バウンドに対する迅速反応性や集中力の向上、敏捷性の向上等の練習を効果的に行うことができる。
【００４７】
次に、本実施例に係る練習具１に関する特に野球競技におけるイレギュラー・バウンド練習の各種関連事項について言及する。
【００４８】
（練習者、練習補助者）
練習者、練習補助者の年齢、性別を問わずイレギュラー・バウンド処理の練習を実行できる。例えば子が練習者となり、父親又は母親（野球の経験の有無を問わない）が練習補助者となって練習したり、柔らかい球を使用することで幼い子供でも危険性なくイレギュラー・バウンド処理の練習を行ったりすることができる。
【００４９】
また、練習者、練習補助者の技術レベルを問わずイレギュラー・バウンド処理の練習を実行できる。例えば練習者としてはリトルリーグレベル、小学生レベルからプロ野球選手レベルまでの広範な範囲の人が各々イレギュラー・バウンド処理の練習を実行できる。
【００５０】
（練習場所）
家の中等の狭い場所や、体育館の片隅、グランドの片隅でもイレギュラー・バウンド処理の練習を実行できる。
【００５１】
また、広い場所はもちろんのことグランドの片隅等に複数台の練習具１を並べ、複数人の練習者の同時練習を行う場所とすることもできる。
【００５２】
（練習内容）
本実施例の練習具１を使用することで、練習者のイレギュラー・バウンド処理の練習に加えてフットワークやグローブ捌き、体捌き等の訓練を併せて実行できる。
【００５３】
すなわち、イレギュラー・バウンド処理の練習に際して、練習者がまず右足から踏み出したり、フットワークとしてイン、アウト、平行、半歩等の練習をしたり、グローブを膝から上に上げないようにしたり、目線をいつも一定にしたり、腰の位置を一定にしたり等の訓練を併せて実行できる。
【００５４】
更に、練習者は練習具１に対峙する位置を適宜変更することで、より難しいイレギュラー・バウンド処理の練習を行うことも可能である。
【００５５】
この他、練習補助者は、スローイングの練習、すなわち、ロングスロー、ショートスロー、ハーフスロー、トススロー等の投球又は送球練習を行うことも可能である。
【００５６】
前記イレギュラー・バウンドが発生する球類Ｂを使用する競技の種類は、硬式野球又は軟式野球、ソフトボールの他に、テニス、ホッケー、サッカー等の競技の例を挙げることができ、これら各々の競技におけるイレギュラー・バウンド対策用の練習を行う各練習者にとっても本実施例の練習具１は有益である。
【産業上の利用可能性】
【００５７】
本考案の練習具は、主に野球等のイレギュラー・バウンドの練習対策用として使用する場合の他、野球やソフトボール等の練習において、イレギュラーな軌道を辿る球のトスバッティングやバントの練習対策用としても適用でき、また、変化球打ちやツーストライク後のバッティング技術向上対策用としても適用できる。
【００５８】
なお、硬式野球球を使用するバッティング練習の際には、練習補助者の怪我等を防止するために防護ネット具を設置する等の配慮が必要である点に留意する。
【００５９】
更に、上述した場合の他、卓球競技におけるエッジボールやネットインボールの練習対策用としても適用可能である。
【符号の説明】
【００６０】
１    練習具
１１    練習具本体
１２    設置片
１３    起立片
１３ａ  孔
１４    締結具
１５    斜め連結片
１６    側枠体
１７    横連結片
１８    滑り止め材
２１    球類転動・飛行ガイド体
２２    球類転動・飛行ガイド体枠
２３    Ｌ形枠片
２３ａ  垂直片部
２３ｂ  調整孔
２４、２４’    端部連結片
２５    球類転動・飛行ガイド体層
２６    蝶ナット
２７    挿入ボルト
３１    イレギュラー・バウンド発生体
３２    支持軸
３３    蝶ナット
Ｂ    球類
【図１】
0003216308.tif 000003
【図２】
0003216308.tif 000004
【図３】
0003216308.tif 000005
【図４】
0003216308.tif 000006
【図５】
0003216308.tif 000007
【図６】
0003216308.tif 000008
【図７】
0003216308.tif 000009
【図８】
0003216308.tif 000010